(57)【要約】【課題】試験用セルをセル挿入部に挿入しても、試験用セルとセル固定部との摩擦で試験用セルの透光性のある表面に傷を付けることなく蛍光発光量の測定を正確に行い蛍光発光測定装置の機能を点検することを可能とする。【解決手段】蛍光発光装置の機能を点検するために使用する試験用セルの外形形状を扁平矩形体にし、セル挿入部の対向する頂点を結ぶ対角線上に嵌合する嵌合部を設けた。また、蛍光発光装置のセル挿入部に対向する頂点を結ぶ対角線上の方向であって外形形状が扁平矩形体の試験用セルの側端を挿入する凹部を設けた。【選択図】        図１
2005351672.tif 000002
【特許請求の範囲】
【請求項１】
セル固定部に形成した光路の一端に励起光発光管を他端に倍増電子管をそれぞれ対向配置し、その光路中に形成したセル挿入部に試薬を入れたセルを挿入し、前記セルに励起光発光管から励起光を照射し、前記セル内の試薬がその励起光によって蛍光発光する発光量を倍増電子管で測定する蛍光発光装置の機能を点検する試験用セルにおいて、
外形形状を扁平矩形体にし、両側端に多角形に形成したセル挿入部の対角線上に嵌合する嵌合部を形成したことを特徴とする試験用セル。
【請求項２】
セル固定部に形成した光路の一端に励起光発光管を他端に倍増電子管をそれぞれ対向配置し、その光路中に形成したセル挿入部に試薬を入れたセルを挿入し、前記セルに励起光発光管から励起光を照射し、前記セル内の試薬がその励起光によって蛍光発光する発光量を倍増電子管で測定する蛍光発光装置において、
前記セル挿入部に外形形状が扁平矩形体の試験用セルの側端を固定する装着部を形成したことを特徴とする蛍光発光装置。
【請求項３】
請求項２に記載した蛍光発光装置において、
装着部は、多角形に形成したセル挿入部の対角方向に凹部を形成したことを特徴とする蛍光発光装置。
【発明の詳細な説明】
【技術分野】
【０００１】
本発明は、励起光の照射により試薬から発する蛍光発光量を測定する蛍光発光測定装置およびそれに使用する試験用セルに関する。
【背景技術】
【０００２】
従来の蛍光発光測定装置は、励起光発生管から測定対象となる検体を含む立体状のセルに励起光を照射し、その蛍光発光を倍増電子管に入力して電気信号に変換して蛍光発光量を測定している。この立体状のセルは、表面が透明なガラスまたは樹脂製であり、検体を含み所要の蛍光染色液を満たしたものである（例えば、特許文献１参照）。そして、蛍光発光測定装置の機能を点検する場合は、試薬を入れた直方体状の試験用セルを蛍光発光測定装置のセル挿入部に挿入し、その試験用セルに励起光を照射し試薬を蛍光発光させ、その蛍光発光量を測定することにより行う。
【特許文献１】特開平２０００−１２５８４５号公報（段落「０００７」、図１）
【発明の開示】
【発明が解決しようとする課題】
【０００３】
しかしながら、上述した従来の技術においては、試験用セルの形状を側面が垂直な面で構成された直方体構造とし、その試験用セルをセル固定部に隙間なく挿入するようにしていた。また、試験用セルは蛍光発光測定装置の機能を点検する度に必要になるため同一の試験用セルを何度も繰り返し使用するものである。このため、試験用セルとセル固定部との摩擦で試験用セルの表面に細かな傷が付き、その傷により光が拡散してしまい試験用セル内部の試薬が励起光発光管からの励起光を均一に受光することができないという問題がある。また、倍増電子管が試験用セル内部の試薬の蛍光発光を均一に受光することができないという問題がある。つまり、試験用セルの表面に傷が付くと蛍光発光測定装置の機能を点検することに支障が生ずるという問題がある。
【０００４】
本発明は、このような問題を解決することを課題とする。
【課題を解決するための手段】
【０００５】
そのため、本発明は、セル固定部に形成した光路の一端に励起光発光管を他端に倍増電子管をそれぞれ対向配置し、その光路中に形成したセル挿入部に試薬を入れたセルを挿入し、前記セルに励起光発光管から励起光を照射し、前記セル内の試薬がその励起光によって蛍光発光する発光量を倍増電子管で測定する蛍光発光装置の機能を点検する試験用セルにおいて、外形形状を扁平矩形体にし、両側端に多角形に形成したセル挿入部の対角線上に嵌合する嵌合部を形成したことを特徴とする。
【０００６】
また、セル固定部に形成した光路の一端に励起光発光管を他端に倍増電子管をそれぞれ対向配置し、その光路中に形成したセル挿入部に試薬を入れたセルを挿入し、前記セルに励起光発光管から励起光を照射し、前記セル内の試薬がその励起光によって蛍光発光する発光量を倍増電子管で測定する蛍光発光装置において、前記セル挿入部に外形形状が扁平矩形体の試験用セルの側端を固定する装着部を形成したことを特徴とする。
【発明の効果】
【０００７】
このようにした本発明では、試験用セルとセル固定部が接触する部分を試験用セルの側端にすることにより、試験用セルをセル挿入部に挿入および抜き取りを繰り返しても試験用セルの励起光を受光する表面および蛍光発光する表面にはセル固定部との摩擦による傷は付かない。したがって、試験用セル内部の試薬が励起光発光管からの励起光を均一に受光することができるようになる。また、倍増電子管が試験用セル内部の試薬の蛍光発光を均一に受光することができるようになる。このことにより蛍光発光測定装置の機能を適切に点検できるという効果がある。
【発明を実施するための最良の形態】
【０００８】
以下、図面を参照して本発明による試験用セルおよび蛍光発光測定装置の実施例を説明する。
【実施例１】
【０００９】
図１は実施例１の蛍光発光測定装置の平面図、図２は実施例１の試験用セルの斜視図である。
図1において、２Ａはセル固定部であり、セルを固定する機能を有し、光を遮蔽する材質で作られたものである。また、側面の三方向に光の入出口となる開口部を有する。
１１は励起光路であり、セル固定部２Ａ内部が空洞になっている。また、一端が励起光の入口である開口部となり、他端がセル固定部２Ａ内部のセル挿入部である。
【００１０】
１０Ａおよび１０Ｂは蛍光発光路であり、セル固定部２Ａ内部が空洞になっている。また、一端が蛍光発光の出口である開口部となり、他端がセル固定部２Ａ内部のセル挿入部である。
２Ｂはセル挿入部であり、励起光路１１と蛍光発光路１０Ａ、１０Ｂの間に配置され、セル固定部２Ａを直方体状の空洞にしてある。このセル挿入部２Ｂに測定対象となるセルを挿入する。
【００１１】
１Ａはセル挿入部２Ｂに挿入された試験用セルを示す。試験用セル１Ａは扁平矩形体であり矩形面の一の面を励起光発光管３に向け、矩形面の他の一の面、つまり、反対面を倍増電子管（本実施例では倍増電子管５Ａまたは倍増電子管５Ｂ）に向けセル挿入部２Ｂに挿入する。
３は励起光発光管であり、セル固定部２Ａの外部から励起光路１１の開口部に向けバンドパスフィルタを介して配置されている。励起光発光管３はセル挿入部２Ｂに挿入された試験用セル１Ａ内の試薬を蛍光発光させる励起光を発光する。
【００１２】
４、６Ａおよび６Ｂはバンドパスフィルタであり、バンドパスフィルタ４は励起光発光管３とセル固定部２Ａの間に配置され、バンドパスフィルタ６Ａ、６Ｂは倍増電子管５Ａとセル固定部２Ａの間、倍増電子管５Ｂとセル固定部２Ａの間にそれぞれ配置される。バンドパスフィルタ４、６Ａおよび６Ｂは特定波長を透過させるものである。
５Ａと５Ｂは倍増電子管であり、試験用セル１Ａ内の試薬が蛍光発光した光を受光できるようにセル固定部２Ａの外部に蛍光発光路１０Ａまたは１０Ｂの開口部に向けバンドパスフィルタ６Ａまたは６Ｂを介して配置される。倍増電子管５Ａと５Ｂは試験用セル１Ａ内の試薬が蛍光発光した蛍光光線を電気信号に変換するものである。
【００１３】
本実施例では、励起光発光管３から照射される励起光の光軸と直交し、かつ、セル挿入部２Ｂを挟んで対向する二方向でセル固定部２Ａの外部に配置されるが、これは異なる二種類の波長の蛍光光線を受光するためおよび励起光を直接受光することを防止するためである。したがって、異なる二種類の波長の蛍光光線を受光する必要がなく、かつ励起光を直接受光しなければ前記配置に限らない。たとえば、励起光発光管３とセル挿入部２Ｂを挟んで対向する一方向であって、セル固定部２Ａの外部に配置してもよい。
【００１４】
９は励起光発光管３から照射された励起光を示し、８は試験用セル１Ａ内の試薬が励起光９により蛍光して発せられた蛍光発光を示す。なお、図１において倍増電子管５Ａは試験用セル１Ａをセル挿入部２Ｂの頂点１２と頂点１４を結ぶ対角線上に挿入した場合の蛍光発光８を受光し、倍増電子管５Ｂは試験用セル１Ａをセル挿入部２Ｂの頂点１３と頂点１５を結ぶ対角線上に挿入した場合の蛍光発光８を受光する。
【００１５】
１２、１３、１４、１５はセル挿入部２Ｂの４つの頂点を示す。なお、本実施例では、セル挿入部２Ｂは４つの頂点をもつ四角形としているがこれに限らず他の多角形のものであってもよい。
ここで、試験用セル１Ａをさらに詳細に説明する。図２において、１Ａは試験用セルを示し、２１、２２、２３、２４、２５、２６、２７、２８は試験用セル１Ａの頂点を示す。
【００１６】
試験用セル１Ａは透光性に優れた素材の容器に蛍光染料で蛍光染色された試薬を入れたものである。たとえば、その素材はガラスまたは樹脂等である。試験用セル１Ａの外形形状は扁平矩形体でセル挿入部２Ｂに嵌合して挿入するように両側端を形成した嵌合部を有し、図２に図示した挿入する方向にセル挿入部２Ｂの上部から挿入する。
たとえば、直方体状のセル挿入部２Ｂを上方向から見て対角線上に嵌合するようセル挿入部２Ｂと接する両側端を直角に、つまり、頂点２２、２１、２３および頂点２５、２４、２６のなす角度が直角となるように形成し、かつ、セル挿入部２Ｂに挿入したときに試験用セル１Ａとセル挿入部２Ｂの接触部分の間隔が極めて狭くなるよう形成したものである。
【００１７】
なお、試験用セル１Ａ内の試薬が均一に励起光９を受光して均一に蛍光発光８を発光させるために試験用セル１Ａの励起光受光面と蛍光発光面は平行な平面である。ここで、励起光受光面とは、試験用セル１Ａをセル挿入部２Ｂに挿入した状態で励起光発光管３から励起光を照射される試験用セル１Ａの表面であって試験用セル１Ａとセル固定部２Ａが接触している部分を除いた表面をいい、蛍光発光面とは、前記状態で試薬の蛍光発光を透過する励起光受光面と反対面の試験用セル１Ａの表面であって試験用セル１Ａとセル固定部２Ａが接触している部分を除いた表面をいう。
【００１８】
上述した構成の作用について説明する。
図１において、試験用セル１Ａをセル挿入部２Ｂの頂点１３と頂点１５を結ぶ対角線上に挿入し、励起光９を試験用セル１Ａの励起光受光面に照射すると試験用セル１Ａの中にある試薬は蛍光により蛍光発光８を発光し、試験用セル１Ａの蛍光発光面を透過する。そして、蛍光発光８はバンドパスフィルタ６Ｂを通して倍増電子管５Ｂで測定される。
【００１９】
本実施例では、蛍光発光８はバンドパスフィルタ６Ａを通して倍増電子管５Ａでも検出できるが励起光９を試験用セル１Ａが反射してしまうため蛍光発光測定装置の機能を正確に点検することはできない。そのため、蛍光発光８を倍増電子管５Ａで測定する場合は、試験用セル１Ａをセル挿入部２Ｂの頂点１２と頂点１４を結ぶ対角線上に挿入し、励起光９がセル挿入部２Ｂに挿入され固定された試験用セル１Ａに照射する。そうすると試験用セル１Ａは蛍光により蛍光発光８を発し、その蛍光発光８はバンドパスフィルタ６Ａを通して倍増電子管５Ａで測定される。そして、蛍光発光測定装置の機能が点検される。
【００２０】
なお、上述した説明では、試験用セル１Ａをセル挿入部２Ｂの対角線上に挿入する例であるがこれに限らない。たとえば、倍増電子管を励起光発光管３とセル挿入部２Ｂを挟んで対向する一方向に配置した場合は、励起光９の光軸と試験用セル１Ａの励起光受光面が直交するように試験用セル１Ａをセル挿入部２Ｂに挿入するようにしてもよい。
以上説明したように、実施例１では、試験用セル１Ａの外形形状を扁平矩形体とし、セル挿入部２Ｂの対角線上に嵌合して挿入するように両側端を形成することにより、試験用セル１Ａをセル挿入部２Ｂに挿入と抜き取りを繰り返しても試験用セル１Ａの励起光受光面および蛍光発光面にはセル固定部２Ａとの摩擦による傷は付かず、傷による蛍光発光量の変化を生じさせることなく蛍光発光測定装置の機能を点検できる効果がある。
【実施例２】
【００２１】
図３は本発明の実施例２を示す蛍光発光測定装置の平面図である。
なお、上述した実施例１と同様の部分は、同一の符号を付してその説明を省略する。
図３において、１Ｂは試験用セルであり、外形形状が扁平矩形体である。
２Ｃは試験用セル１Ｂを挿入するセル挿入部であり、セル固定部２Ａを直方体状の空洞にしてあって、さらに、扁平矩形体の試験用セル１Ｂの側端を嵌合して挿入する二以上の凹部を設けたものである。この凹部は、試験用セル１Ｂの矩形面の一の面が励起光発光管３に向け、矩形面の他の一の面、つまり、反対面が蛍光発光を受光する倍増電子管（本実施例では倍増電子管５Ａまたは倍増電子管５Ｂ）に向け挿入することがするように設けた装着部である。なお、本実施例では、扁平矩形体の試験用セル１Ｂを対角線上に嵌合して挿入する４つの凹部３２、３３、３４、３５を設けたものであるが、これに限らず４つ以外の複数の凹部を有してもよい。
【００２２】
上述した構成の作用について説明する。
図３において、試験用セル１Ｂをセル挿入部２Ｃの凹部３３と凹部３５を結ぶ対角線上に挿入し、励起光９を試験用セル１Ｂの励起光受光面に照射すると試験用セル１Ｂの中にある試薬は蛍光により蛍光発光８を発光し、試験用セル１Ｂの蛍光発光面を透過する。蛍光発光８はバンドパスフィルタ６Ｂを通して倍増電子管５Ｂで測定される。本実施例では、蛍光発光８はバンドパスフィルタ６Ａを通して倍増電子管５Ａでも検出できるが励起光９を試験用セル１Ｂが反射してしまうため蛍光発光測定装置の機能を正確に点検することはできない。そのため、蛍光発光８を倍増電子管５Ａで測定する場合は、試験用セル１Ｂをセル挿入部２Ｃの凹部３２と凹部３４を結ぶ対角線上に挿入し固定して励起光９を試験用セル１Ｂに照射する。そうすると試験用セル１Ｂは蛍光により蛍光発光８を発し、その蛍光発光８はバンドパスフィルタ６Ａを通して倍増電子管５Ａで測定される。そして、蛍光発光測定装置の機能が点検される。
【００２３】
なお、上述した説明では、試験用セル１Ｂをセル挿入部２Ｃの対角線上に挿入する例であるがこれに限らない。たとえば、倍増電子管を励起光発光管３とセル挿入部２Ｃを挟んで対向する一方向に配置した場合は、励起光９の光軸と試験用セル１Ｂの励起光受光面が直交するように試験用セル１Ｂをセル挿入部２Ｃに挿入する凹部を設けてもよい。
以上説明したように、実施例２では、試験用セル１Ｂの形状を扁平矩形体にし、セル挿入部２Ｃの対角線上に試験用セル１Ｂの側端を嵌合して挿入するように凹部を設けることにより、試験用セル１Ｂをセル挿入部２Ｃに挿入と抜き取りを繰り返しても試験用セル１Ｂの励起光受光面および蛍光発光面にはセル固定部２Ａとの摩擦による傷は付かず、傷による蛍光発光量の変化を生じさせることなく蛍光発光測定装置の機能を点検できる効果がある。
【図面の簡単な説明】
【００２４】
【図１】実施例１の平面図
【図２】実施例１の試験用セルの斜視図
【図３】実施例２の平面図
【符号の説明】
【００２５】
１Ａ、１Ｂ  試験用セル
２Ａ    セル固定部
２Ｂ    セル挿入部
３      励起光発光管
４      バンドパスフィルタ
５Ａ、５Ｂ  倍増電子管
６Ａ、６Ｂ  バンドパスフィルタ
８      蛍光発光
９      励起光
１０Ａ、１０Ｂ  蛍光発光路
１１    励起光路
１２、１３、１４、１５  セル挿入部頂点
２１、２２、２３、２４、２５、２６、２７、２８  試験用セル頂点
３２、３３、３４、３５  セル挿入部凹部
【図１】
2005351672.tif 000003
【図２】
2005351672.tif 000004
【図３】
2005351672.tif 000005